(57)【要約】【課題】  従来知られた構造のヒーターパネルをコンクリートスラブ面に直貼りして電気式床暖房構造を構築するに際して、その施工コストを大きく低減できるようにした、改良された床暖房用周辺パネルを提供する。【解決手段】  木質基材４０の裏面に形成した凹溝４１内に、ヒーターパネルＡへ電力を供給するための電源線３１と電源線の一端または両端に取り付けたコネクタ３２とからなる配線具３０を一体に組み込んだ床暖房用周辺パネルＣ１〜Ｃ５を選択的に用いて、ヒーターパネルＡから壁面に取り付けたコントローラ２１までの配線を行う。【選択図】  図１
2006057964.tif 000002
【特許請求の範囲】
【請求項１】
木質基材の裏面側に少なくとも発熱体として線ヒーターあるいは面ヒーターを備えた電気式床暖房用のヒーターパネルと共に用いる床暖房用周辺パネルであって、木質基材の裏面に形成した凹溝内にヒーターパネルへ電力を供給するための電源線と電源線の一端または両端に取り付けたコネクタとからなる配線具が一体に組み込まれていることを特徴とする床暖房用周辺パネル。
【請求項２】
少なくとも１つのコネクタは木質基材裏面の凹溝内に収納された位置と該凹溝から飛び出た位置との２位置を取り得るようになっていることを特徴とする請求項１に記載の床暖房用周辺パネル。
【請求項３】
木質基材の裏面側に少なくとも発熱体として線ヒーターあるいは面ヒーターを備えた電気式床暖房用のヒーターパネルと、請求項１および２に記載の床暖房用周辺パネルとを少なくとも備えていることを特徴とする電気式床暖房用パネルキット。
【請求項４】
請求項３に記載の電気式床暖房用パネルキットを用いた電気式床暖房の施工方法であって、床下地面に発熱体を備えた複数枚のヒーターパネルを電気的に接続した状態で敷き詰める工程、敷き詰めたヒーターパネルの周辺に床暖房用周辺パネルを電気的に接続した状態となるようにコネクタ同士を接続しながら敷き詰めていく工程、敷き詰めた床暖房用周辺パネルの電源線で形成される回路の一端をヒーターパネルの電気回路に接続し、他端を建物の電力供給源に接続する工程、を少なくとも有することを特徴とする電気式床暖房の施工方法。
【発明の詳細な説明】
【技術分野】
【０００１】
本発明は、発熱体として線ヒーターあるいはＰＴＣヒーターのような面ヒーターを備えた電気式のヒーターパネルを用いて床暖房施工をするときに用いる周辺パネルと電気式床暖房用パネルキットおよびそれを用いた床暖房の施工方法に関する。
【背景技術】
【０００２】
木質基材の裏面側に線ヒーターや面ヒーターを組み込んだヒーターパネルを用いて、電気式の床暖房構造を施工することは知られている（特許文献１、特許文献２参照）。図５にバッカー材などを取り除いた状態のヒーターパネルの背面図を、図６に施工後での床暖房構造の断面図を示すように、通常、ヒーターパネルＡは、合板などである木質基材１の裏面に一定パターンに凹溝２が形成され、そこに線ヒーター３が埋め込まれると共に、線ヒーター３に電気的に接続する雄コネクタ４、雌コネクタ５がやはり木質基板１の裏面に形成したコネクタ収容凹部６内に配置されている。また、サーモスタット７が配置され、安全性を確保している。木質基材１の裏面にはアルミ箔などからなる均熱層８が形成され、かつバッカー材９が積層される。
【０００３】
上記した構成の発熱体付きヒーターパネルＡを用いて電気式の床暖房構造を施工する場合の一例を図７、図８を用いて説明する。図７において、Ａは上記のヒーターパネルＡを示している（図８ｂも参照。なお、図５では階段状に組み込まれたヒーターパネルＡを示したが、図７では全体として矩形状のピースとしてヒーターパネルＡを示している）。Ａ１は貼り出し用ヒーターパネルと呼ばれるものであり、発熱体を備え、図で下側の側辺に雌コネクタ５のみが備えられる（図８ａも参照）。Ａ２は貼りじまい用ヒーターパネルと呼ばれるものであり、発熱体を備え、雄コネクタ４が図で上側の側辺に備えられ、下側の側辺には発熱体へ電力を供給する電源線２２が直接接続されている（図８ｃも参照）。Ｂは周辺パネルと呼ばれるものであり、発熱体を備えない通常のフローリングで用いられる床パネルが用いられる。
【０００４】
施工に際しては、図７に示すように、大引き１０や根太１１を持つ床下地構造の場合には、根太１１、１１間に発泡樹脂のような断熱材１２を入れ、その上に下地合板１３を不陸のないように貼り付ける。貼り出し用ヒーターパネルＡ１とヒーターパネルＡとをコネクタ４、５を接続しながら下地合板１３に貼り付け、また必要な周辺パネルＢも貼り付ける。次に、貼りじまい用ヒーターパネルＡ２を取り付け、そこから延出する電源線２２を下地合板１３の裏を通して壁面２０まで引き出すか、下地合板１３の下に別途埋め込んだ電源線用ＣＤ管（不図示）を通過させて壁面２０まで引き出し、その近傍であるいは壁面２０の裏側で結線工事や壁面に取り付けたコントローラ２１への接続などを行う。
【０００５】
【特許文献１】特開２０００−１７９８７６号公報
【特許文献２】特開２０００−３２０８４５号公報
【発明の開示】
【発明が解決しようとする課題】
【０００６】
床下地が集合住宅のようにコンクリートスラブの場合には、ヒーターパネルや周辺パネルをコンクリートスラブ面に接着剤を用いて直貼りすることができる。しかし、貼りじまい用ヒーターパネルＡ２から延出する電源線２２を収容する空間（凹溝など）をコンクリートスラブ面に形成することが困難なことから、直貼り施工は多くは行われない。電源線２２を収容できる適宜の嵩上げ床を形成し、それを床下地として施工することが行われるが大きな作業量を伴う。このことは、リフォーム等で既存の住宅の床下地面に電気式床暖房施工を後施工として行う場合も同様である。
【０００７】
従来知られたヒーターパネルＡ、Ａ１や貼りじまい用ヒーターパネルＡ２をそのまま用い、コンクリートスラブである床下地に対して、あるいはリフォーム時に既存の床下地の上に、それらを直貼りして床暖房構造を施工することができれば、施工の手間は大きく低減できる。
【０００８】
本発明は上記のような事情に鑑みてなされたものであり、従来知られた構造のヒーターパネルをコンクリートスラブ面や既存の建物の床下地面に直貼りして電気式床暖房構造を容易に構築できるようにするための改良された床暖房用周辺パネルと電気式床暖房用パネルキット、およびそれを用いた床暖房の施工方法を提供することを目的とする。
【課題を解決するための手段】
【０００９】
上記の課題を解決するための本発明による床暖房用周辺パネルは、木質基材の裏面側に少なくとも発熱体として線ヒーターあるいは面ヒーターを備えた電気式床暖房用のヒーターパネルと共に用いる床暖房用周辺パネルであって、木質基材の裏面に形成した凹溝内にヒーターパネルへ電力を供給するための電源線と電源線の一端または両端に取り付けたコネクタとからなる配線具が一体に組み込まれていることを特徴とする。
【００１０】
前記凹溝は、床暖房用周辺パネルが裏面にバッカー材を積層した構成のものである場合には、該バッカー材に形成されていてもよく、バッカー材と木質基材の双方にわたって形成されていてもよい。バッカー材を備えない床暖房用周辺パネルの場合には、当然に木質基材の裏面に形成される。
【００１１】
本発明による床暖房用周辺パネルにおいて、配線具の異なった組み込みパターンを持つ複数種の床暖房用周辺パネルが用意され、施工現場の状況に応じて適宜組み合わせて用いられる。例えば、パネルの長辺側にコネクタが位置するようにして配線具が組み込まれているもの、パネルの短辺側にコネクタが位置するようにして配線具が組み込まれているもの、一方のコネクタが長辺側に他方のコネクタが短辺側に位置するようにして配線具が組み込まれているもの、電源線の一方端にのみコネクタを取り付けており、該コネクタを長辺側または短辺側に位置させ、電源線の他端側は床暖房用周辺パネルの外側にまで延出させているもの、等が組み合わせて用いられる。
【００１２】
木質基材の裏面に形成する凹溝は、配線具のパターンに沿うようにして形成されていてもよく、十文字状の凹溝を形成しておき、目的とするパターンに応じて、凹溝の部分を選択的に利用して配線具を組み込むようにしてもよい。いずれの場合も、凹溝の長辺、短辺への開放端はコネクタを収容できる大きさと広さを持つコネクタ収容凹部とされる。
【００１３】
さらに、施工時に、床暖房用周辺パネル同士の電気的接続、およびヒーターパネルとの電気的接続を容易にするために、床暖房用周辺パネルに取り付けられる少なくとも１つのコネクタを、パネル裏面の凹溝内に収納された位置と該凹溝から飛び出た位置との２位置を選択的に取り得るようにしておくことは好ましい。
【００１４】
なお、前記した電源線の一方端にのみコネクタを取り付け、電源線の他端側は床暖房用周辺パネルの外側にまで延出させている電源線を組み付けた床暖房用周辺パネルは、その電源線の延長部を建物に付設したコントローラを含む電力供給源に電気的に接続するようにして用いられる。
【００１５】
本発明は、また、上記した床暖房用周辺パネルと木質基材の裏面側に少なくとも発熱体として線ヒーターあるいは面ヒーターを備えた電気式床暖房用のヒーターパネルとを少なくとも備える電気式床暖房用パネルキット、および、該電気式床暖房用パネルキットを用いた電気式床暖房の施工方法をも開示する。
【００１６】
本発明による電気式床暖房の施工方法によれば、コンクリートスラブや既存の床下地を含む任意の床下地面に対して、従来法と同様にして、前記ヒーターパネル（貼り出し用ヒーターパネルとヒーターパネル）を電気的に接続しながら貼り付ける。また、必要箇所に周辺パネルも貼り付ける。そして、少なくとも敷き詰めたヒーターパネル群に形成される電気回路への電力取り入れ口となる端子を備えたヒーターパネルと、建物側の電力供給源近傍の壁面の間に、本発明による各形態の床暖房用周辺パネルを選択的に適宜組み合わせながら、かつコネクタ同士を接続しながら敷き詰める。そして、敷き詰めた床暖房用周辺パネルの配線具で形成される電気配線の一端をヒーターパネル側の電力取り入れ口となる端子に接続し、他端を建物の電力供給源あるいはコントローラ等に結線することにより、施工は終了する。
【発明の効果】
【００１７】
上記のように、本発明による床暖房用周辺パネル（ヒーターパネルと床暖房用周辺パネルとを少なくとも備えている電気式床暖房用パネルキット）を用いることにより、床下地がコンクリートスラブの場合であっても、特に電源線収容用の空間を形成する作業等を行うことなく、容易に電気的床暖房の施工を行うことがができる。また、異なった形態の床暖房用周辺パネルを組み合わせて用いるので、施工しようとする床面の平面形状や建物側の電力源あるいはコントローラの位置等の制約を受けることなく、その施工を終えることができる。さらに、単にコネクタ同士の接続により必要な床下地上での配線を終えることができるので、電気工事士でなくても所要の配線を行うことができる。
【発明を実施するための最良の形態】
【００１８】
以下、本発明にかかる床暖房用周辺パネル（ヒーターパネルと床暖房用周辺パネルとを少なくとも備えている電気式床暖房用パネルキット）と、それを用いた床暖房直貼り施工方法の好ましい実施の形態を図面を参照しながら説明する。図１は本発明にかかる電気式床暖房用パネルキットを用いて施工された電気式直貼り床暖房構造の一例を模式的に示している。図２は床暖房用周辺パネルの一例を示す図であり、図３は床暖房用周辺パネルで用いる配線具を示している。また、図４は床暖房用周辺パネルの他の例を示している。
【００１９】
図１に示す電気式直貼り床暖房構造において、Ｓはコンクリートスラブであり、その上に、図８に示した、貼り出し用ヒーターパネルＡ１、ヒーターパネルＡ、および周辺パネルＢが直貼りされている。本発明による施工方法では、前記した貼りじまい用ヒーターパネルＡ２は使用せず、代わりに、以下に説明する「床暖房用周辺パネル」Ｃを用いる。
【００２０】
図２は床暖房用周辺パネルの一つの形態を示している。床暖房用周辺パネルＣ１はヒーターパネルＡ等のパネルと同じ木質基材４０を備え、その裏面に後記する配線具３０を構成する電源線３１を収容するための凹溝４１と、コネクタ３２を収容するための凹部４２が形成されている。また、必須のものではないが、周囲に接合用の雄実４３と雌実４４を有している。図示の例では、凹溝４１は長辺に平行な第１凹溝４１ａと短辺に平行な第２凹溝４１ｂとが十文字状に形成されており、各凹溝が長辺あるいは短辺に開放する部分はコネクタ３２の収容凹部４２とされている。
【００２１】
このように凹溝４１を形成した木質基材４０に対して、図３に示す配線具３０が組み込まれる。配線具３０は、図３ａに示すように電源線３１とその両端に取り付けた雌雄のコネクタ３２ａ、３２ｂとからなる第１配線具３０ａと、電源線３１の一端にのみコネクタ３２ａを取り付けた第２配線具３０ｂとからなる。なお、第１配線具３０ａは、図３ａには１種のみを示すが、異なった長さのものが必要種類だけ用意される。
【００２２】
図２に示す床暖房用周辺パネルＣ１では、図３ａに示す第１配線具３０ａが用いられ、その一方のコネクタ３２ｂを左辺の短辺中央に形成したコネクタ収容凹部４２ａに収容し、他方のコネクタ３２ａを上方の長辺中央に形成したコネクタ収容凹部４２ｂに収容している。そして、電源線３１は全体がＬ字状に折り曲げられた姿勢で第１凹溝４１ａの一部と第２凹溝４１ｂの一部とに入り込んでいる。また、コネクタ３２ａは、結線時の作業を容易にするために、図２ｄに実線で示すコネクタ収容凹部４２ｂに入り込んだ位置と、仮想線で示すコネクタ収容凹部４２ｂから飛び出た位置とを選択的に取り得るようになっている。工場において、木質基材４０に上記のようにして配線具３０ａが組み込まれた床暖房用周辺パネルＣ１が造られる。必須のものではないが、好ましくは、木質基材４０の裏面に適宜のバッカー材（不図示）が貼着される。また、木質基材４０に適宜のバッカー材を貼り付けたものに対して、凹溝４１とコネクタ収容凹部４２を形成し、そこに配線具３０ａを組み付けるようにしてもよい。
【００２３】
図４ａは他の形態の床暖房用周辺パネルＣ２であり、ここでは、木質基材４０の裏面に形成される凹溝４１は、長辺に平行な第１凹溝４１ａのみであり、その両端部に収容凹部４２、４２が形成されていて、第１凹溝４１ａ内に、両端部にコネクタ３２ａ，３２ｂを取り付けた第１配線具３０ａが直線状に組み込まれている。図４ｂはさらに他の形態の床暖房用周辺パネルＣ３を示しており、ここでは、凹溝４１は短辺に平行な第２凹溝４１ｂのみであり、その両端部に形成した収容凹部４２、４２内にコネクタ３２ａ，３２ｂを収容した状態で、長さの異なる第１配線具３０ａがやはり直線状に組み込まれている。
【００２４】
図４ｃはさらに他の形態の床暖房用周辺パネルＣ４であり、木質基材４０の裏面に形成した凹溝４１が長辺に平行な第１凹溝４１ａのみである点では、前記床暖房用周辺パネルＣ２と同様であるが、コネクタ収容凹部４２は第１凹溝４１ａの一方端にのみ形成されている点で相違している。配線具３０は図３ｂに示した第２配線具３０ｂが用いられ、コネクタ３２ａをコネクタ収容凹部４２に収容し、電源線３１を第１凹溝４１ａに埋め込み、さらにその他端側を木質基材４０の他方の短辺側から外方に延出した姿勢で、組み込まれている。図４ｄはさらに他の形態の床暖房用周辺パネルＣ５であり、木質基材４０の裏面に形成した凹溝４１が、長辺に平行な第１凹溝４１ａでなく、短辺に平行な第２凹溝４１ｂａのみである点で床暖房用周辺パネルＣ４と相違している。配線具３０は、前記床暖房用周辺パネルＣ４と同様、図３ｂに示した第２配線具３０ｂが用いられる。
【００２５】
なお、図４ａ〜図４ｄに示した態様の床暖房用周辺パネルＣ２〜Ｃ５は、木質基材４０として、図２に示した木質基材、すなわち、第１凹溝４１ａと第２凹溝４１ｂとを十文字状に形成し凹溝４１を持つ木質基材４０を用いても、その凹溝とコネクタ収容凹部の位置を適宜選択することにより造ることができる。この場合には、工場において、図２ａ〜図２ｃに示した形態の木質基材４０を多数調製しておき、施工現場の要請に応じて、床暖房用周辺パネルＣ１〜Ｃ５の形態に、第１配線具３０ａまたは第２配線具３０ｂを適宜選択的して組み込むようにすればい。また、いずれの場合も、前記したように、好ましくは木質基材４０の裏面に適宜のバッカー材（不図示）が貼着される。
【００２６】
上記のようにして造られた床暖房用周辺パネルＣ１〜Ｃ５と、従来のヒーターパネルＡ，Ａ１と、必要な場合にはさらに周辺パネルＢとが、本発明でいう「電気式床暖房用パネルキット」としてまとめられ、それが、施工現場に搬入される。施工に際しては、従来と同様にしてヒーターパネルＡ，Ａ１をコンクリートスラブＳの上に電気的に接続しながら直貼りする。また、必要な周辺パネルＢも貼り付ける。その後、最も外側に位置するヒーターパネルＡ１Ａ（図１参照）のコネクタ位置と、壁面に取り付けられているコントローラ２１あるいは電源盤２２の位置とを配慮しながら、床暖房用周辺パネルＣ１〜Ｃ５を適宜選択し、かつその配線具３０同士を結線しながら、空いているコンクリートスラブの面に直接敷き詰める。
【００２７】
図１に示す例では、最も外側に位置するヒーターパネルＡ１Ａに対して、先ず、床暖房用周辺パネルＣ３（図４ｂ）を選択し、そのコネクタ３２ａをヒーターパネルＡ１Ａに接続しながら、コンクリートスラブＳに載置する。その外側（長辺に沿う側）に、床暖房用周辺パネルＣ１（図２ｄ）を選択し、そのコネクタ３２ａを引き出した状態として床暖房用周辺パネルＣ３のコネクタ３２ｂと接続して敷き詰める。さらに、床暖房用周辺パネルＣ１の短辺側に、床暖房用周辺パネルＣ２（図４ａ）を、そのコネクタ３２ａと床暖房用周辺パネルＣ１の短辺側のコネクタ３２ｂとを接続して敷き詰める。
【００２８】
結果として、図１に示す例では、壁面に取り付けたコントローラ２１の直下の位置に、幅は床暖房用周辺パネルＣの１枚分の幅であるが、長さは１枚分の長さよりも短い長さの空きスペースＳ１が、最後に残る。そこで、作業者は、床暖房用周辺パネルＣ４（図４ｃ）を選択し、前記空きスペースＳ１と同じ長さに木質基材４０を切断して、床暖房用周辺パネルＣ４Ｃ（図１参照）とする。そして、床暖房用周辺パネルＣ４Ｃのコネクタ３２ａを床暖房用周辺パネルＣ２のコネクタ３２ｂに接続して、床暖房用周辺パネルＣ４Ｃを空きスペースＳ１に敷設する。そして、外部に延出している電源線３１の他端３１ａを壁面に取り付けたコントローラ２１に接続することにより、電気式床暖房用のパネルの敷設と、所要の電気的接続とは終了する。
【００２９】
なお、図１の施工態様では、幅は床暖房用周辺パネルＣの１枚分の幅であるが、長さは１枚分の長さよりも短い長さの空きスペースＳ１が最後に残る場合を説明したが、施工現場によっては、幅が床暖房用周辺パネルＣの１枚分の幅に満たない空きスペースが壁面に沿って残る場合もおこる。その場合には、図示しないが、長手方向に沿って所要幅となるように切断した各床暖房用周辺パネルＣを適宜選択して用いればよい。また、施工現場によっては、図１で床暖房用周辺パネルＣの外側にさらにスペースが残る場合もありうるが、その場合には、そのスペースに通常の周辺パネルＢを敷き込めばよい。
【図面の簡単な説明】
【００３０】
【図１】本発明にかかる床暖房用周辺パネルを用いて施工された電気式直貼り床暖房構造の一例を示す模式図。
【図２】本発明による床暖房用周辺パネルで使用する木質基材の一例を示す平面図（図２ａ）、背面図（図２ｂ）、図２ａのｃ−ｃ線による断面図（図２ｃ）、および、完成した本発明による床暖房用周辺パネルの一形態を示す背面図（図２ｄ）。
【図３】床暖房用周辺パネルで用いる配線具の２つの形態を示す図。
【図４】床暖房用周辺パネルの他の例を示す図、
【図５】線ヒーターを用いたヒーターパネルの一例を示す背面図。
【図６】従来のヒーターパネルを下地合板の上に貼り付けた状態を断面で示す図。
【図７】下地合板の上にヒーターパネルを貼り付けて電気式床暖房とする一例を示す図。
【図８】電気式床暖房に用いる床パネルのいくつかの例を示しており、図８ａは貼り出し用ヒーターパネル、図８ｂはヒーターパネル、図８ｃは貼りじまい用ヒーターパネルを示す。
【符号の説明】
【００３１】
Ａ，Ａ１…ヒーターパネル、Ｂ…周辺パネル、Ｃ（Ｃ１〜Ｃ５）…本発明による床暖房用周辺パネル、２１…コントローラ、３０（３０ａ、３０ｂ）…配線具、３１…電源線、３２（３２ａ、３２ｂ）…コネクタ、４０…木質基材、４１（４１ａ、４１ｂ）…凹溝、４２…コネクタ収容凹部、
【図１】
2006057964.tif 000003
【図２】
2006057964.tif 000004
【図３】
2006057964.tif 000005
【図４】
2006057964.tif 000006
【図５】
2006057964.tif 000007
【図６】
2006057964.tif 000008
【図７】
2006057964.tif 000009
【図８】
2006057964.tif 000010